(57)【要約】【課題】自転車等による低速移動時において携帯通信端末を操作することを原因とする事故を容易に防ぐ。【解決手段】携帯通信端末１００の移動速度を示す速度情報と、携帯通信端末１００の位置情報と、携帯通信端末１００の高さ情報とを、携帯通信端末１００から通信制御装置２００へ送信し、通信制御装置２００が、携帯通信端末から送信されてきた、速度情報と速度閾値とを比較し、位置情報と特定経路情報とを比較し、高さ情報と第１および第２の高さ閾値とを比較し、比較の結果に基づいて、携帯通信端末１００が具備する機能の動作を抑制するための抑制情報を携帯通信端末１００へ送信し、抑制情報を受信した携帯通信端末１００は、当該抑制情報に基づいて機能の抑制を行う。【選択図】図１
2012186627.tif 000002
【特許請求の範囲】
【請求項１】
携帯通信端末と、該携帯通信端末と接続された通信制御装置とから構成される通信システムにおいて、
前記携帯通信端末は、
当該携帯通信端末の移動速度を測定する速度測定部と、
当該携帯通信端末の位置を示す位置情報を取得する位置情報取得部と、
当該携帯通信端末が存在する高さを示す高さ情報を取得する高さ情報取得部と、
前記速度測定部が測定した移動速度を示す速度情報と、前記位置情報取得部が取得した位置情報と、前記高さ情報取得部が取得した高さ情報とを前記通信制御装置へ送信する情報送信部と、
前記通信制御装置から送信されてきた抑制情報に基づいて、当該携帯通信端末が具備する機能の動作を抑制する抑制部とを有し、
前記通信制御装置は、
前記携帯通信端末から送信されてきた、前記速度情報とあらかじめ設定されている速度閾値とを比較し、前記位置情報とあらかじめ設定されている特定経路情報とを比較し、前記高さ情報とあらかじめ設定されている第１および第２の高さ閾値とを比較する比較部と、
前記比較部における比較の結果に基づいて、前記携帯通信端末が具備する機能の動作を抑制するための抑制情報を該携帯通信端末へ送信する抑制情報送信部とを有することを特徴とする通信システム。
【請求項２】
請求項１に記載の通信システムにおいて、
前記抑制情報送信部は、前記比較部における比較の結果、前記速度情報が示す移動速度が前記速度閾値以下であり、かつ前記位置情報が示す位置が前記特定経路情報が示す特定経路に含まれる位置であり、かつ前記高さ情報が示す高さが前記第１の高さ閾値以上第２の高さ閾値以下である場合、前記抑制情報を送信することを特徴とする通信システム。
【請求項３】
請求項１に記載の通信システムにおいて、
前記携帯通信端末は、前記速度情報と前記位置情報と前記高さ情報とを一時的に記憶する一時記憶部を有し、
前記速度測定部は、前記速度情報を前記一時記憶部へ書き込み、
前記位置情報取得部は、前記位置情報を前記一時記憶部へ書き込み、
前記高さ情報取得部は、前記高さ情報を前記一時記憶部へ書き込み、
前記情報送信部は、前記速度情報と前記位置情報と前記高さ情報とをあらかじめ設定されたタイミングで前記一時記憶部から読み出して送信することを特徴とする通信システム。
【請求項４】
請求項１に記載の通信システムにおいて、
前記位置情報取得部は、ＧＰＳ衛星から前記位置情報を取得することを特徴とする通信システム。
【請求項５】
請求項１に記載の通信システムにおいて、
前記高さ情報取得部は、ＧＰＳ衛星から前記高さ情報を取得することを特徴とする通信システム。
【請求項６】
請求項１に記載の通信システムにおいて、
前記通信制御装置は、前記速度閾値と、前記特定経路情報と、前記第１および第２の高さ閾値とをあらかじめ記憶する閾値記憶部を有し、
前記比較部は、前記閾値記憶部から前記速度閾値と、前記特定経路情報と、前記第１および第２の高さ閾値とを読み出して、前記比較を行うことを特徴とする通信システム。
【請求項７】
携帯通信端末と接続された通信制御装置であって、
前記携帯通信端末から送信されてきた、前記携帯通信端末の移動速度を示す速度情報とあらかじめ設定されている速度閾値とを比較し、前記携帯通信端末の位置を示す位置情報とあらかじめ設定されている特定経路情報とを比較し、前記携帯通信端末が存在する高さを示す高さ情報とあらかじめ設定されている第１および第２の高さ閾値とを比較する比較部と、
前記比較部における比較の結果に基づいて、前記携帯通信端末が具備する機能の動作を抑制するための抑制情報を該携帯通信端末へ送信する抑制情報送信部とを有する通信制御装置。
【請求項８】
携帯通信端末であって、
当該携帯通信端末の移動速度を測定する速度測定部と、
当該携帯通信端末の位置を示す位置情報を取得する位置情報取得部と、
当該携帯通信端末が存在する高さを示す高さ情報を取得する高さ情報取得部と、
前記速度測定部が測定した移動速度を示す速度情報と、前記位置情報取得部が取得した位置情報と、前記高さ情報取得部が取得した高さ情報とを、当該携帯通信端末と接続された通信制御装置へ送信する情報送信部と、
前記通信制御装置から送信されてきた抑制情報に基づいて、当該携帯通信端末が具備する機能の動作を抑制する抑制部とを有する携帯通信端末。
【請求項９】
携帯通信端末と、該携帯通信端末と接続された通信制御装置とから構成される通信システムにおける通信制御方法であって、
前記携帯通信端末が、当該携帯通信端末の移動速度を測定する処理と、
前記携帯通信端末が、当該携帯通信端末の位置を示す位置情報を取得する処理と、
前記携帯通信端末が、当該携帯通信端末が存在する高さを示す高さ情報を取得する処理と、
前記携帯通信端末が、前記測定した移動速度を示す速度情報と、前記取得した位置情報と、前記取得した高さ情報とを前記通信制御装置へ送信する処理と、
前記通信制御装置が、前記携帯通信端末から送信されてきた前記速度情報とあらかじめ設定されている速度閾値とを比較する処理と、
前記通信制御装置が、前記携帯通信端末から送信されてきた前記位置情報とあらかじめ設定されている特定経路情報とを比較する処理と、
前記通信制御装置が、前記携帯通信端末から送信されてきた前記高さ情報とあらかじめ設定されている第１および第２の高さ閾値とを比較する処理と、
前記通信制御装置が、前記比較の結果に基づいて、前記携帯通信端末が具備する機能の動作を抑制するための抑制情報を該携帯通信端末へ送信する処理と、
前記携帯通信端末が、前記通信制御装置から送信されてきた抑制情報に基づいて、当該携帯通信端末が具備する機能の動作を抑制する処理とを行う通信制御方法。
【発明の詳細な説明】
【技術分野】
【０００１】
本発明は、通信を行う通信システム、通信制御装置および携帯通信端末ならびにこれらにおける通信制御方法に関する。
【背景技術】
【０００２】
一般的に、公共施設内など携帯情報端末の利用を控えるべき場所において、その通信を抑制する方法としては、利用者が自ら携帯情報端末の動作モードを変更し、通信動作が行われないように設定する。
【０００３】
一方、今日の様々な携帯情報端末の普及に伴い、その利用を控えるべき場所や状況が様々に変化し、またそれらが増加していく傾向にある。そのため、利用者自身の選択的意思によらない通信抑制方式が必要となっている。
【０００４】
そこで、携帯端末の位置に応じて、処理を実行する技術が考えられている（例えば、特許文献１参照。）。
【先行技術文献】
【特許文献】
【０００５】
【特許文献１】特開２００９−１１１７００号公報
【発明の概要】
【発明が解決しようとする課題】
【０００６】
近年、自転車での走行等の低速移動中に、携帯電話やスマートフォンに代表されるようなモバイル端末を使用することに起因した交通事故が多発している。
【０００７】
上述した技術を用いても、このような事故を防ぐことはできないという問題点がある。
【０００８】
本発明の目的は、上述した課題を解決する通信システム、通信制御装置、携帯通信端末および通信制御方法を提供することである。
【課題を解決するための手段】
【０００９】
本発明の通信システムは、
携帯通信端末と、該携帯通信端末と接続された通信制御装置とから構成される通信システムにおいて、
前記携帯通信端末は、
当該携帯通信端末の移動速度を測定する速度測定部と、
当該携帯通信端末の位置を示す位置情報を取得する位置情報取得部と、
当該携帯通信端末が存在する高さを示す高さ情報を取得する高さ情報取得部と、
前記速度測定部が測定した移動速度を示す速度情報と、前記位置情報取得部が取得した位置情報と、前記高さ情報取得部が取得した高さ情報とを前記通信制御装置へ送信する情報送信部と、
前記通信制御装置から送信されてきた抑制情報に基づいて、当該携帯通信端末が具備する機能の動作を抑制する抑制部とを有し、
前記通信制御装置は、
前記携帯通信端末から送信されてきた、前記速度情報とあらかじめ設定されている速度閾値とを比較し、前記位置情報とあらかじめ設定されている特定経路情報とを比較し、前記高さ情報とあらかじめ設定されている第１および第２の高さ閾値とを比較する比較部と、
前記比較部における比較の結果に基づいて、前記携帯通信端末が具備する機能の動作を抑制するための抑制情報を該携帯通信端末へ送信する抑制情報送信部とを有することを特徴とする。
【００１０】
また、本発明の通信制御装置は、
携帯通信端末と接続された通信制御装置であって、
前記携帯通信端末から送信されてきた、前記携帯通信端末の移動速度を示す速度情報とあらかじめ設定されている速度閾値とを比較し、前記携帯通信端末の位置を示す位置情報とあらかじめ設定されている特定経路情報とを比較し、前記携帯通信端末が存在する高さを示す高さ情報とあらかじめ設定されている第１および第２の高さ閾値とを比較する比較部と、
前記比較部における比較の結果に基づいて、前記携帯通信端末が具備する機能の動作を抑制するための抑制情報を該携帯通信端末へ送信する抑制情報送信部とを有する。
【００１１】
また、本発明の携帯通信端末は、
携帯通信端末であって、
当該携帯通信端末の移動速度を測定する速度測定部と、
当該携帯通信端末の位置を示す位置情報を取得する位置情報取得部と、
当該携帯通信端末が存在する高さを示す高さ情報を取得する高さ情報取得部と、
前記速度測定部が測定した移動速度を示す速度情報と、前記位置情報取得部が取得した位置情報と、前記高さ情報取得部が取得した高さ情報とを、当該携帯通信端末と接続された通信制御装置へ送信する情報送信部と、
前記通信制御装置から送信されてきた抑制情報に基づいて、当該携帯通信端末が具備する機能の動作を抑制する抑制部とを有する。
【００１２】
また、本発明の通信制御方法は、
携帯通信端末と、該携帯通信端末と接続された通信制御装置とから構成される通信システムにおける通信制御方法であって、
前記携帯通信端末が、当該携帯通信端末の移動速度を測定する処理と、
前記携帯通信端末が、当該携帯通信端末の位置を示す位置情報を取得する処理と、
前記携帯通信端末が、当該携帯通信端末が存在する高さを示す高さ情報を取得する処理と、
前記携帯通信端末が、前記測定した移動速度を示す速度情報と、前記取得した位置情報と、前記取得した高さ情報とを前記通信制御装置へ送信する処理と、
前記通信制御装置が、前記携帯通信端末から送信されてきた前記速度情報とあらかじめ設定されている速度閾値とを比較する処理と、
前記通信制御装置が、前記携帯通信端末から送信されてきた前記位置情報とあらかじめ設定されている特定経路情報とを比較する処理と、
前記通信制御装置が、前記携帯通信端末から送信されてきた前記高さ情報とあらかじめ設定されている第１および第２の高さ閾値とを比較する処理と、
前記通信制御装置が、前記比較の結果に基づいて、前記携帯通信端末が具備する機能の動作を抑制するための抑制情報を該携帯通信端末へ送信する処理と、
前記携帯通信端末が、前記通信制御装置から送信されてきた抑制情報に基づいて、当該携帯通信端末が具備する機能の動作を抑制する処理とを行う。
【発明の効果】
【００１３】
以上説明したように、本発明においては、自転車等による低速移動時において携帯通信端末を操作することを原因とする事故を容易に防ぐことができる。
【図面の簡単な説明】
【００１４】
【図１】本発明の通信システムの実施の一形態を示す図である。
【図２】図１に示した携帯通信端末の内部構成の一例を示す図である。
【図３】図１に示した通信制御装置の内部構成の一例を示す図である。
【図４】図３に示した閾値記憶部に記憶されている速度閾値と特定経路情報と第１および第２の高さ閾値との一例を示す図である。
【図５】図１に示した通信制御装置における処理を説明するためのフローチャートである。
【図６】図５に示したステップＳ２の位置比較処理を説明するためのフローチャートである。
【図７】図６に示したステップＳ１２の高さ比較処理を説明するためのフローチャートである。
【発明を実施するための形態】
【００１５】
以下に、本形態の実施の形態について図面を参照して説明する。
【００１６】
図１は、本発明の通信システムの実施の一形態を示す図である。
【００１７】
本形態は図１に示すように、携帯通信端末１００と、通信制御装置２００と、ネットワーク３００と、ＧＰＳ衛星４００とから構成されている。
【００１８】
携帯通信端末１００は、通信機能を具備した携帯可能な通信端末である。また、携帯通信端末１００は、無線によってネットワーク３００と接続されている。
【００１９】
通信制御装置２００は、ネットワーク３００を介して携帯通信端末１００を制御する装置である。
【００２０】
ネットワーク３００は、携帯通信端末１００と通信制御装置２００とを接続する通信ネットワークである。
【００２１】
ＧＰＳ衛星４００は、ＧＰＳ（Ｇｌｏｂａｌ  Ｐｏｓｉｔｉｏｎｉｎｇ  Ｓｙｓｔｅｍ）で用いられる位置情報取得のための人工衛星である。
【００２２】
図２は、図１に示した携帯通信端末１００の内部構成の一例を示す図である。
【００２３】
図１に示した携帯通信端末１００には図２に示すように、速度測定部１０１と、位置情報取得部１０２と、高さ情報取得部１０３と、一時記憶部１０４と、情報送信部１０５と、抑制部１０６と、制御部１０７とが設けられている。なお、図２には、図１に示した携帯通信端末１００が具備する構成要素のうち、本発明に関わる構成要素のみを示した。
【００２４】
速度測定部１０１は、あらかじめ設定されたタイミング（周期的でも良い）で携帯通信端末１００の移動速度を測定する。また、速度測定部１０１は、測定した移動速度を示す速度情報を一時記憶部１０４へ書き込む。なお、移動速度の測定方法は、位置情報取得部１０２が取得した位置情報と、携帯通信端末１００に具備された時計（一般的な携帯端末に具備されているもので良い）が示す時刻を用いて移動速度を算出するものや、加速度センサを携帯通信端末１００に具備させ、加速度センサが検知する携帯通信端末１００の加速度と時刻とを用いて移動速度を算出するものであっても良く、ここでは特に規定しない。
【００２５】
位置情報取得部１０２は、あらかじめ設定されたタイミング（周期的でも良い）で携帯通信端末１００の位置を示す位置情報を取得する。なお、位置情報の取得方法は、ＧＰＳ衛星４００から位置情報を取得するものや、携帯通信端末１００と接続された無線基地局（不図示）から取得するものであっても良く、ここでは特に規定しない。また、位置情報取得部１０２は、取得した位置情報を一時記憶部１０４へ書き込む。
【００２６】
高さ情報取得部１０３は、あらかじめ設定されたタイミング（周期的でも良い）で携帯通信端末１００が存在する高さを示す高さ情報を取得する。なお、高さ情報の取得方法は、ＧＰＳ衛星４００から高さ情報を取得するものであっても良く、ここでは特に規定しない。また、高さ情報取得部１０３は、取得した高さ情報を一時記憶部１０４へ書き込む。
【００２７】
一時記憶部１０４は、速度測定部１０１によって書き込まれた速度情報と、位置情報取得部１０２によって書き込まれた位置情報と、高さ情報取得部１０３によって書き込まれた高さ情報とを一時的に記憶する。
【００２８】
情報送信部１０５は、一時記憶部１０４に記憶されている速度情報と位置情報と高さ情報とをあらかじめ設定されたタイミング（周期的でも良い）で一時記憶部１０４から読み出し、ネットワーク３００を介して通信制御装置２００へ送信する。
【００２９】
抑制部１０６は、通信制御装置２００から送信されてきた抑制情報に基づいて、携帯通信端末１００が具備する機能（制御部１０７が起動する機能）の動作を抑制する。
【００３０】
制御部１０７は、携帯通信端末１００が具備する機能を起動する。このとき、制御部１０７は、抑制部１０６によって抑制された機能については、起動しない。
【００３１】
図３は、図１に示した通信制御装置２００の内部構成の一例を示す図である。
【００３２】
図１に示した通信制御装置２００には図３に示すように、比較部２０１と、閾値記憶部２０２と、抑制情報送信部２０３とが設けられている。なお、図３には、図１に示した通信制御装置２００が具備する構成要素のうち、本発明に関わる構成要素のみを示した。
【００３３】
比較部２０１は、携帯通信端末１００から送信されてきた速度情報とあらかじめ設定されている速度閾値とを比較する。具体的には、比較部２０１は、携帯通信端末１００から送信されてきた速度情報と速度閾値とを比較することにより、当該速度情報が示す移動速度が速度閾値以下であるかどうかを判定する。
【００３４】
また、比較部２０１は、携帯通信端末１００から送信されてきた位置情報とあらかじめ設定されている特定経路情報とを比較する。具体的には、比較部２０１は、携帯通信端末１００から送信されてきた位置情報と特定経路情報とを比較することにより、当該位置情報が示す位置が、特定経路情報が示す特定経路に含まれるかどうかを判定する。
【００３５】
また、比較部２０１は、携帯通信端末１００から送信されてきた高さ情報とあらかじめ設定されている第１および第２の高さ閾値とを比較する。具体的には、比較部２０１は、携帯通信端末１００から送信されてきた高さ情報と第１および第２の高さ閾値とを比較することにより、当該高さ情報が示す高さが第１の高さ閾値以上であり第２の高さ閾値以下であるかどうかを判定する。
【００３６】
また、このとき、比較部２０１は、閾値記憶部２０２にあらかじめ記憶されている速度閾値と特定経路情報と第１および第２の高さ閾値とを読み出して当該比較を行う。また、比較部２０１は、比較の結果を抑制情報送信部２０３へ出力する。
【００３７】
閾値記憶部２０２は、速度閾値と特定経路情報と第１および第２の高さ閾値とをあらかじめ記憶する。
【００３８】
図４は、図３に示した閾値記憶部２０２に記憶されている速度閾値と特定経路情報と第１および第２の高さ閾値との一例を示す図である。
【００３９】
図３に示した閾値記憶部２０２には図４に示すように、速度閾値と特定経路情報と第１および第２の高さ閾値とが対応付けられて記憶されている。
【００４０】
例えば、図４に示すように、速度閾値「ｘｋｍ／ｈ」が記憶されている。比較部２０１は、携帯通信端末１００から送信されてきた速度情報と速度閾値「ｘｋｍ／ｈ」とを比較する。具体的には、比較部２０１は、携帯通信端末１００から送信されてきた速度情報と速度閾値「ｘｋｍ／ｈ」とを比較することにより、当該速度情報が示す移動速度が「ｘｋｍ／ｈ」以下であるかどうかを判定する。
【００４１】
また、図４に示すように、特定経路情報「Ａ」が記憶されている。比較部２０１は、携帯通信端末１００から送信されてきた位置情報と特定経路情報「Ａ」とを比較する。具体的には、比較部２０１は、携帯通信端末１００から送信されてきた位置情報と特定経路情報「Ａ」とを比較することにより、当該位置情報が示す位置が「Ａ」に含まれるかどうかを判定する。なお、「Ａ」は説明の便宜上示したものであり、特定経路情報としては、地図上のある範囲や経路（道路）等を示す情報が記憶される。
【００４２】
また、図４に示すように、高さ閾値として第１の閾値「ｙｍ」と第２の閾値「ｚｍ」とが記憶されている。比較部２０１は、携帯通信端末１００から送信されてきた高さ情報と第１の閾値「ｙｍ」および第２の閾値「ｚｍ」とを比較する。具体的には、比較部２０１は、携帯通信端末１００から送信されてきた高さ情報と第１の閾値「ｙｍ」および第２の閾値「ｚｍ」とを比較することにより、当該高さ情報が示す高さが「ｙｍ」以上であり「ｚｍ」以下であるかどうかを判定する。
【００４３】
抑制情報送信部２０３は、比較部２０１における比較の結果に基づいて、携帯通信端末１００が具備する機能の動作を抑制するための抑制情報を携帯通信端末１００へ送信する。
具体的には、抑制情報送信部２０３は、比較部２０１における比較の結果が、速度情報が示す移動速度が速度閾値以下であり、かつ位置情報が示す位置が特定経路情報に含まれる位置であり、かつ高さ情報が示す高さが第１の高さ閾値以上第２の高さ閾値以下である場合、抑制情報を送信する。なお、この抑制情報は、携帯通信端末１００が具備する機能のうちの特定の機能の抑制を指示するものであっても良いし、携帯通信端末１００が具備する機能すべての抑制を指示するものであっても良い。また、閾値記憶部２０２に、複数の速度閾値と特定経路情報と第１および第２の高さ閾値との対応付けを記憶しておき、それぞれの対応付けに応じた機能の抑制を指示するものであっても良い。例えば、３つの対応付けを記憶しておき、比較部２０１における比較の結果が、１つ目の対応付けと合致する場合、通話機能を抑制し、２つ目の対応付けと合致する場合、表示機能を抑制し、また、３つ目の対応付けと合致する場合、すべての機能を抑制するものであっても良い。
【００４４】
以下に、本形態における通信制御方法について説明する。
【００４５】
まずは、図１に示した携帯通信端末１００において、速度測定部１０１によって携帯通信端末１００の移動速度が測定され、測定された移動速度を示す速度情報が一時記憶部１０４に書き込まれる。また、位置情報取得部１０２によって携帯通信端末１００の位置を示す位置情報が取得され、取得された位置情報が一時記憶部１０４に書き込まれる。また、高さ情報取得部１０３によって携帯通信端末１００が存在する高さを示す高さ情報が取得され、取得された高さ情報が一時記憶部１０４に書き込まれる。すると、情報送信部１０５によって一時記憶部１０４から速度情報と位置情報と高さ情報とが読み出され、それらが情報送信部１０５から所定のタイミングで通信制御装置２００へ送信される。
【００４６】
図５は、図１に示した通信制御装置２００における処理を説明するためのフローチャートである。
【００４７】
まず、携帯通信端末１００から送信されてきた速度情報が示す移動速度と、閾値記憶部２０２に記憶されている速度閾値とが比較部２０１によって比較される（ステップＳ１）。
【００４８】
比較の結果、移動速度が速度閾値以下ではないと判定された場合、処理は終了する。
【００４９】
一方、比較の結果、移動速度が速度閾値以下であると判定された場合は、比較部２０１によって位置比較処理が行われる（ステップＳ２）。
【００５０】
図６は、図５に示したステップＳ２の位置比較処理を説明するためのフローチャートである。
【００５１】
携帯通信端末１００から送信されてきた位置情報と、閾値記憶部２０２に記憶されている特定経路情報とが比較部２０１によって比較される（ステップＳ１１）。
【００５２】
比較の結果、位置情報が示す位置が、特定経路情報が示す特定経路に含まれないと判定された場合、処理は終了する。
【００５３】
一方、比較の結果、位置情報が示す位置が、特定経路情報が示す特定経路に含まれると判定された場合は、比較部２０１によって高さ比較処理が行われる（ステップＳ１２）。
【００５４】
図７は、図６に示したステップＳ１２の高さ比較処理を説明するためのフローチャートである。
【００５５】
携帯通信端末１００から送信されてきた高さ情報が示す高さと、閾値記憶部２０２に記憶されている第１の高さ閾値とが比較部２０１によって比較される（ステップＳ２１）。
【００５６】
比較の結果、高さが第１の高さ閾値以上ではないと判定された場合、処理は終了する。
【００５７】
一方、比較の結果、高さが第１の高さ閾値以上であると判定された場合は、携帯通信端末１００から送信されてきた高さ情報が示す高さと、閾値記憶部２０２に記憶されている第２の高さ閾値とが比較部２０１によって比較される（ステップＳ２２）。
【００５８】
比較の結果、高さが第２の高さ閾値以下ではないと判定された場合、処理は終了する。
【００５９】
一方、比較の結果、高さが第２の高さ閾値以下であると判定された場合は、抑制情報送信部２０３から携帯通信端末１００へ抑制情報が送信される（ステップＳ２３）。
【００６０】
通信制御装置２００から送信された抑制情報が、携帯通信端末１００の抑制部１０６にて受信されると、当該抑制情報に基づいて、制御部１０７が起動する機能の抑制が抑制部１０６によって行われる。
【００６１】
このように、携帯通信端末１００が一定の速度以下（低速）で移動している場合、その位置情報と高さ情報とを一定の基準を用いて判定し、当該判定の結果に基づいて、携帯通信端末１００の機能を抑制する。そのため、携帯通信端末１００を所持している利用者が機能の抑制のための操作を行うことが不要となる。また、これにより、利用者が機能の抑制のための操作をし忘れた場合であっても、機能の抑制を行うことができる。
【符号の説明】
【００６２】
１００    携帯通信端末
１０１    速度測定部
１０２    位置情報取得部
１０３    高さ情報取得部
１０４    一時記憶部
１０５    情報送信部
１０６    抑制部
１０７    制御部
２００    通信制御装置
２０１    比較部
２０２    閾値記憶部
２０３    抑制情報送信部
３００    ネットワーク
４００    ＧＰＳ衛星
【図１】
2012186627.tif 000003
【図２】
2012186627.tif 000004
【図３】
2012186627.tif 000005
【図４】
2012186627.tif 000006
【図５】
2012186627.tif 000007
【図６】
2012186627.tif 000008
【図７】
2012186627.tif 000009